(57)【要約】【課題】フロントガードへの指の進入を抑制しつつ、送風性能を低下させない扇風機を提供する。【解決手段】整流板傾斜部には、回転する羽根と対向する整流板傾斜部の面の反対側の面に突出部を備え、突出部は隣接する他の整流板傾斜部に向かって突出している。これにより整流板傾斜部における整流板間距離を短くすることができるので、指などの異物がフロントガードを通過することを抑制できる。【選択図】図４
2019112996.tif 000002
【特許請求の範囲】
【請求項１】
複数枚の羽根を有し回転により風を送風する軸流ファンと、前記軸流ファンの下流側に設けられたフロントガードと、前記軸流ファンの上流側に設けられたリアガードとを備え、前記フロントガードは、中央に円盤状のガードマークと、外周に外周リングとを備え、前記ガードマークから前記外周リングに向かって、前記軸流ファンの回転方向の反対方向に向かって弧が閉じるように形成された円弧状の整流板を複数備え、
前記整流板は、上流側端部に前記軸流ファンで送風された気流の旋回方向に沿うように傾斜している整流板傾斜部を備え、前記整流板傾斜部の下流側端部に前記軸流ファンの軸方向と平行な整流板直線部を備え、前記整流板傾斜部には、回転する前記羽根と対向する前記整流板傾斜部の面に突出部を備え、前記突出部は、隣接する他の前記整流板傾斜部に向かって突出していることを特徴とする扇風機。
【請求項２】
前記突出部は、前記整流板傾斜部の前記上流側端部から前記下流側端部にむかって連続するように形成された形状であることを特徴とする請求項１記載の扇風機。
【請求項３】
前記突出部の最大厚みは、前記整流板傾斜部の前記上流側端部と前記下流側端部との中点よりも前記下流側端部側に位置することを特徴とする請求項１又は請求項２に記載の扇風機。
【発明の詳細な説明】
【技術分野】
【０００１】
本発明は、居室内の天井や壁、床面等に設置されて直接気流による体感温度の減少や室内の空気の循環に使用される扇風機に関するものである。
【背景技術】
【０００２】
従来この種の扇風機は、直進性の向上を目的としたものとして、例えば、特許文献１に構成が示されている。
以下、その構成について、図５および図６を参照しながら説明する。
【０００３】
図５は従来の扇風機の構成を示す斜視図であり、図５は、軸流ファン１０１下流側に設けられたフロントガード１０２の形状を示す斜視図である。図５に示すように、フロントガード１０２は、軸流ファン１０１から送風される風が通過する通風部１０３と、その外周に、リアガード１０４とフロントガード１０２とを位置決めして固定するためのガードリング１０５を有している。通風部１０３は、図６に示すようにフロントガード１０２の中央側からガードリング１０５に向かって伸びる整流板１０７が軸流ファン１０１の回転軸を軸対称として渦巻状に設けられている。そして整流板１０７のうち一部は、その中央側が軸流ファン１０１の回転軸方向上流側に突出した形状となっている。
【先行技術文献】
【特許文献】
【０００４】
【特許文献１】実用新案登録第３１９６８８４号公報
【発明の概要】
【発明が解決しようとする課題】
【０００５】
このような従来の扇風機のフロントガードでは、軸流ファンから送風された風を、一様厚さの整流板に沿わせて中央に集めて直進性を高め、さらに、複数枚の整流板を密に配置し、各整流板間の間隔を調整することでフロントガードの各整流板間への指入れを抑制していた。しかしながら、上記構成では、フロントガードの指入れを抑制するために、整流板の枚数を増加させ、整流板を密に配置する必要があり、このとき整流板が密に配置されることで送風気流の抵抗となり、送風性能が低下するという課題があった。そこで、本発明は、フロントガードの各整流板間への指入れを抑制し、送風性能が低下しない扇風機を提供することを目的する。
【課題を解決するための手段】
【０００６】
そして、この目的を達成するために、本発明は、複数枚の羽根を有し回転により風を送風する軸流ファンと、前記軸流ファンの下流側に設けられたフロントガードと、前記軸流ファンの上流側に設けられたリアガードとを備え、前記フロントガードは、中央に円盤状のガードマークと、外周に外周リングとを備え、前記ガードマークから前記外周リングに向かって、前記軸流ファンの回転方向の反対方向に向かって弧が閉じるように形成された円弧状の整流板を複数備え、前記整流板は、上流側端部に前記軸流ファンで送風された気流の旋回方向に沿うように傾斜している整流板傾斜部を備え、前記整流板傾斜部の下流側端部に前記軸流ファンの軸方向と平行な整流板直線部を備え、前記整流板傾斜部には、回転する前記羽根と対向する前記整流板傾斜部の面に突出部を備え、前記突出部は、隣接する他の前記整流板傾斜部に向かって突出しているものであり、これにより所期の目的を達成するものである。
【発明の効果】
【０００７】
これにより、整流板傾斜部の面に突出部が設けられたことで、フロントガードに設けられた隣接する整流板の整流板傾斜部間の間隔の最短距離が短くなる。そのため、フロントガード側から軸流ファンに向かって指が挿入された場合であっても、隣接する整流板の整流板傾斜部の面の突出部によって、指が軸流ファン側へ通過することを規制することができる。また、軸流ファンで送風された気流の旋回方向に沿うように傾斜している整流板傾斜部に突出部が設けられていることで、整流板傾斜部の下流側端部に位置する軸流ファンの軸方向と平行な整流板直線部に設けられた場合と比較した場合、整流板傾斜部に突出部を設けた方が、軸流ファンの軸方向に平行な風路断面を遮ることを軽減することが可能であり、突出部を整流板直線部に設けた場合よりも、圧力損失が小さくなり、送風性能低下を抑制することができる。
【図面の簡単な説明】
【０００８】
【図１】本発明の実施の形態１の斜視図である。
【図２】実施の形態１の側面図である。
【図３】図１におけるＡ部分の拡大図である。
【図４】図３におけるＢ−Ｂ′断面における実施の形態１の断面図である。
【図５】従来の扇風機の構成を示す斜視図である。
【図６】従来の扇風機のフロントガードの形状を示す斜視図である。
【発明を実施するための形態】
【０００９】
本発明の実施の形態に係る扇風機は、複数枚の羽根を有し回転により風を送風する軸流ファンと、前記軸流ファンの下流側に設けられたフロントガードと、前記軸流ファンの上流側に設けられたリアガードとを備え、前記フロントガードは、中央に円盤状のガードマークと、外周に外周リングとを備え、前記ガードマークから前記外周リングに向かって、前記軸流ファンの回転方向の反対方向に向かって弧が閉じるように形成された円弧状の整流板を複数備え、前記整流板は、上流側端部に前記軸流ファンで送風された気流の旋回方向に沿うように傾斜している整流板傾斜部を備え、前記整流板傾斜部の下流側端部に前記軸流ファンの軸方向と平行な整流板直線部を備え、前記整流板傾斜部には、回転する前記羽根と対向する前記整流板傾斜部の面に突出部を備え、前記突出部は、隣接する他の前記整流板傾斜部に向かって突出しているものである。
【００１０】
これにより、整流板傾斜部の面に突出部が設けられたことで、フロントガードに設けられた隣接する整流板の整流板傾斜部間の間隔の最短距離が短くなる。そのため、フロントガード側から軸流ファンに向かって指が挿入された場合であっても、隣接する整流板の整流板傾斜部の面の突出部によって、指が軸流ファン側へ通過することを規制することができる。また、軸流ファンで送風された気流の旋回方向に沿うように傾斜している整流板傾斜部に突出部が設けられていることで、整流板傾斜部の下流側端部に位置する軸流ファンの軸方向と平行な整流板直線部に設けられた場合と比較し、軸流ファンによる送風の抵抗を低減し、送風性能低下を抑制することができる。
【００１１】
また本発明の実施の形態に係る扇風機、前記突出部は、前記整流板傾斜部の前記上流側端部から前記下流側端部にむかって連続するように形成されたものである。
【００１２】
これにより、突出部を整流板傾斜部の上流側端部から下流側端部にかけて滑らかな面を形成することができ、突出部が軸流ファンによる送風気流の抵抗になることを抑制することができ、整流板傾斜部に突出部を設けた場合でも送風性能低下を抑制することができる。
【００１３】
また、本発明の実施の形態に係る扇風機は、前記突出部の最大厚みは、前記整流板傾斜部の前記上流側端部よりも前記下流側端部側に位置するものである。
【００１４】
これにより、軸流ファンによる送風気流が整流板に沿って流れる場合、整流板傾斜部から整流板直線部に流れるときに、整流板傾斜部の突出部の表面から気流が剥離しにくくなる。よって、流れの剥離が抑制されるので、送風性能の低下を抑制することができる。
【００１５】
以下、本発明の実施の形態につき説明し、本発明の理解に供する。なお、以下の実施の形態は、本発明を具体化した一例であって、本発明の技術的範囲を限定するものではない。また、全図面を通して、同一の部位については同一の番号を付している。さらに、各図面において、本発明に直接には関係しない各部の詳細については説明を省略している。
【００１６】
（実施の形態１）
図１は、本発明にかかる扇風機１の斜視図であり、図２は、本発明にかかる扇風機１の側面図であり、図３は本発明にかかる扇風機１の中心付近の拡大図であり、図４は本発明にかかる扇風機１の断面図である。
【００１７】
図１及び図２について説明する。扇風機１は、複数枚の羽根２を有した軸流ファン３と、軸流ファン３を回転させるためのモータ（図示せず）と、軸流ファン３の上流側に設けられたモータを内包するモータハウジング４とで構成されている。
【００１８】
扇風機１は、軸流ファン３を側面側および軸流ファン３の上流側である背面側から覆い異物が軸流ファン３に接触しないように保護する金属製又は樹脂製の線材で形成されたリアガード５と、軸流ファン３の下流側である軸流ファン３の正面側から覆い軸流ファン３に異物が接触しないように保護するフロントガード６とを備えている。フロントガード６は、中央に円柱状のガードマーク７があり、外周側には外周リング１１を備えている。
【００１９】
整流板１７は、ガードマーク７の外周側面と外周リング１１の内周側の側面とを連結するように複数配設されており、円柱状のガードマーク７の外周側面から外周リング１１の内周側の側面に向かって放射するように形成されている。図１に示すように整流板１７は、薄板が延在した長片状の形状であり、整流板１７の面が軸流ファン３の軸方向と平行になるように配置されている。
【００２０】
ガードマーク７の外周側には軸流ファン３より送風される風が通過する通風部８が備えられている。通風部８はガードマーク７と外周リング１１とに連結された複数の整流板１７によって区画された領域である。また、フロントガード６は、外周リング１１によってリアガード５に固定されている。
【００２１】
また、軸流ファン３が回転することで送風気流が発生しているため、送風気流は軸流ファン３が回転による旋回成分をもち、旋回成分をもった送風気流は、下流側に流れるに従い拡散して風速の直進性を悪化させる要因となっている。そこで、図３に示すように、整流板１７の下流側に設けられた整流板直線部１２は、軸流ファン３の回転軸と平行となる面で形成されている。この整流板直線部１２によって、旋回成分を軸流ファン３の回転軸方向成分に変換することができる。また、円弧状の整流板１７は、軸流ファン３の回転方向の反対方向に向かって弧が閉じるように形成された構造によって、送風気流をフロントガード６の中央へ集めることができ、吹き出された気流の拡散を抑制し、直進性を向上させることで、遠くまで風を届かせることができる。
【００２２】
さらに、軸流ファン３より送風された風を軸流ファン３の中心方向に集中させるようにするため、整流板１７は、軸流ファン３の羽根２の回転方向に対して反対方向に向かって弧が閉じるように形成されている。また、軸流ファン３によって送風される風を低抵抗で通過させるように、整流板１７は、下流側に設けられた整流板直線部１２と整流板直線部１２の直線部上流側端部から軸流ファン３との間に形成された整流板傾斜部１３を備えている。整流板傾斜部１３は、整流板直線部１２の直線部上流側端部より軸流ファン３で送風された気流の旋回方向に沿うように傾斜している整流板傾斜部１３を設けている。これにより、整流板傾斜部１３は、吹き出し気流に沿うように傾斜することで、吹き出し気流と整流板傾斜部１３との接触抵抗を低減することができ、圧損の低減を図っている。
【００２３】
さらに、整流板直線部１２は、軸流ファン３の回転方向の反対方向に向かって弧が閉じるように形成されていることにより、吹き出し気流をフロントガード６の中央へ集め、気流の風量を増加させることで風速を速め直進性を向上させることで、遠くまで送風することができる。
【００２４】
また、図３に示すように、軸流ファン３の最大風速が発生する位置に対応する整流板１７は、最大風速による旋回成分が大きい為、旋回成分が大きい気流を軸流ファン３の中心方向へ集めるため、軸流ファン３の回転方向の反対方向に向かって閉じる孤の曲率が大きくなっている。この整流板１７の曲率が大きくなっている孤は、外周リング１１側に形成されている。この構成によって、旋回成分が大きい気流による周方向への拡散を抑制し、旋回成分が大きい気流を効率よく軸流ファン３の中心方向へ集めることができ、遠くまで風を届かせることができる。また、軸流ファン３の中央付近においては、周速が比較的遅いため、軸流ファン３の中央付近における旋回成分の速度が低下するため、軸流ファン３の回転方向の反対方向に向かって閉じる孤の曲率を小さくすることができる。
【００２５】
また、軸流ファン３の中央付近においては、周速が比較的遅いため、軸流ファン３の中央付近における旋回成分の速度が低下するため、軸流ファン３の回転方向の反対方向に向かって閉じる孤の曲率を小さくすることができる。
【００２６】
このとき、最大風速が分布する位置の近傍では、旋回成分の速度が大きくなるため、整流板傾斜部１３と整流板直線部１２となす角、整流板傾斜角１６を小さくすることで、旋回成分を軸流ファン３の軸方向に平行な速度成分に変換することができる。したがって、旋回成分の速度が大きい気流においても、直進性を向上させることができる。旋回成分が最大となる位置に整流板傾斜角１６を最小とすることで、風が整流板傾斜部１３に沿い、旋回成分の風の乱れによる抵抗を低減することができ、軸流ファン３外周側の周速度が大きい部分での流れが整流板直線部１２に沿って流れることで、圧力損失を低減して風速を向上させることができ、遠くまで風を届かせることができる。
【００２７】
図４は、図３における整流板１７のＢ−Ｂ′断面における断面図を示している。図４に示すように、整流板傾斜部１３には、回転する羽根２と対向する整流板傾斜部１３の面に突出部９を備え、突出部９は隣接する他の整流板傾斜部１３に向かって突出している。これにより整流板傾斜部１３における整流板間距離１０を短くすることができるので、指などの異物がフロントガード６を通過することを抑制できる。このとき、同じ大きさの突出部９を整流板傾斜部１３と整流板直線部１２とに設ける場合を比較した場合、整流板傾斜部１３に突出部９を設けた方が、軸流ファン３の軸方向に平行な風路断面を遮ることを軽減することが可能である。また、整流板傾斜部１３に突出部９を設けた方が、突出部９を整流板直線部１２に設けた場合よりも、圧力損失が小さくなり、送風性能低下を抑制することができる。
【００２８】
また、突出部９は整流板傾斜部１３の上流側端部１４から下流側端部１５に向かって連続するように形成された形状であり、これにより、整流板傾斜部１３に進入してきた気流と突出部９との接触抵抗を低減することができ、気流の乱流を低減し圧力損失による送風性能低下を抑制することができる。
【００２９】
さらに、突出部９の最大厚みは、前記整流板傾斜部の前記上流側端部と前記下流側端部との中点よりも前記下流側端部側に位置している。これにより、最大厚みの位置が上流側端部１４にある場合よりも、整流板傾斜部１３に流入した直後の気流の乱れを低減することができ、圧力損失による送風性能低下を抑制できる。また、突出部９が整流板傾斜部１３の下流側端部１５に設けられていることで、突出部９が整流板傾斜角１６を通過する気流の軌道変化を緩和させ、整流板傾斜部１３の下流側端部１５での流れの剥離を抑制することができ、送風性能低下を抑制することができる。
【産業上の利用可能性】
【００３０】
本発明にかかる、扇風機は、軸流ファンに吸込む流れの抵抗を抑制し、直進性を向上させることができるので、リビングや、会議室、食堂などの大空間の壁面に取り付けて多数の人が涼感を得るための扇風機として有用である。
【符号の説明】
【００３１】
１    扇風機
２    羽根
３    軸流ファン
４    モータハウジング
５    リアガード
６    フロントガード
７    ガードマーク
８    通風部
９    突出部
１０    整流板間距離
１１    外周リング
１２    整流板直線部
１３    整流板傾斜部
１４    上流側端部
１５    下流側端部
１６    整流板傾斜角
１７    整流板
【図１】
2019112996.tif 000003
【図２】
2019112996.tif 000004
【図３】
2019112996.tif 000005
【図４】
2019112996.tif 000006
【図５】
2019112996.tif 000007
【図６】
2019112996.tif 000008